(57)【要約】【課題】従来はブレーカ遮断を回避するため屋内配線に流れる電流値を検出していたが、突入電流や急激に入力電流が増える場合には有効に機能しなかった。さらに、電流値を検出する場所と入力電流を抑制する機器との距離が離れるため、入力電流を抑制するための信号の伝達が出来ないことがあった。【解決手段】機器の入力電流値や動作するプログラムの情報などを受信回路１３が機器の送信機能から直接受信し、その情報に基づいて変換した出力信号を送信回路７から受信機能を備えた機器に送信し、受信機能を備えた機器は受信した出力信号に従って自己の入力電流を抑制することによって屋内配線のブレーカ１に流れる電流を抑制し、ブレーカ１の遮断を防止することができる。【選択図】  図１
2004201470.tif 000002
【特許請求の範囲】
【請求項１】
屋内配線に接続した機器に接続するケーブルと、前記ケーブルを経由して入力された前記機器の情報を所定の出力信号に変換するマイクロコンピュータ（以下、マイコンと言う）と、前記出力信号を送信する送信回路とからなる通信装置を備え、前記出力信号を受信した機器が自己の入力電流を抑制することにより、屋内配線のブレーカが遮断することを防止することを特徴とする過電流抑制装置。
【請求項２】
屋内配線に接続した機器に、前記機器の入力電流値や動作するプログラムの情報などを送信する送信機能を持たせ、前記機器の入力電流値や動作プログラムの情報を受信する受信回路と、前記受信回路を経由して入力された前記機器の入力電流値や動作プログラムの情報を所定の出力信号に変換するマイコンと、前記出力信号を送信する送信回路とからなる通信装置を備え、前記出力信号を受信した機器が自己の入力電流を抑制することにより、屋内配線のブレーカが遮断することを防止することを特徴とする過電流抑制装置。
【請求項３】
機器から受信回路への入力電流値や動作プログラムの情報の送信を赤外線または電波にて行なうことを特徴とした請求項２に記載の過電流抑制装置。
【請求項４】
送信回路からの出力信号の送信を赤外線または電波、或いは有線にて行なうことを特徴とした請求項１または２に記載の過電流抑制装置。
【請求項５】
出力信号の受信機能等を高周波加熱装置に備えた請求項１〜４のいずれか１項に記載の過電流抑制装置。
【請求項６】
前記出力信号の受信機能等を複数の機器に備えてなる請求項１から５に記載の過電流抑制装置。
【発明の詳細な説明】
【０００１】
【発明の属する技術分野】
本発明は、複数の機器を同時運転した場合の過電流によるブレーカの遮断を防止する過電流抑制装置に関するものである。
【０００２】
【従来の技術】
従来、この様なブレーカの遮断を防止する手段としては、図５に記載された従来の過電流抑制装置、つまりブレーカの遮断を防止する手段を示すものである（例えば特許文献１参照）。
【０００３】
【特許文献１】
特開平７−７８４８号公報
【０００４】
【発明が解決しようとする課題】
しかしながら、一般家庭の屋内配線は１個のブレーカに複数のコンセントが並列に接続されているため、前記従来の構成ではブレーカに流れる電流を電流センサで検出するためには電流検出装置をブレーカ近傍に設置せざるを得なかった。そして一般家庭のブレーカは洗面所や玄関裏、階段裏などに一ヶ所に集約して設置されていることが多いため、ブレーカ近傍の電流検出装置から送信された赤外線や電波の信号は居間や台所などに設置した受信機能を備えた機器まで非常に届き難く、有効に機能しないという欠点があった。さらに有線で信号を送る場合にはケーブルの敷設工事の手間がかかり、コストも増大する課題があった。
【０００５】
また、前記従来の構成では、屋内配線に流れる電流を検出しているため、突入電流などのように電流が急激に大きく流れる場合には対応できず、ブレーカが遮断してしまうという課題を有していた。
【０００６】
本発明は、前記従来の課題を解決するもので、複数の機器が同時に使われてもブレーカの遮断を防止し、且つブレーカの容量最大限の電流を効率よく使用できるようにした過電流抑制装置を提供することを目的とする。
【０００７】
【課題を解決するための手段】
前記従来の課題を解決するために、本発明の過電流抑制装置は、ケーブルまたは赤外線や電波などの信号を受信する受信回路と、前記ケーブルや受信回路から入力された情報を出力信号に変換するマイコンと、出力信号を送信する送信回路とを備え、前記出力信号を受信した機器が自己の入力電流を抑制する。
【０００８】
これによって、機器の入力電流値や動作するプログラムの情報をそれぞれの機器から直接過電流抑制装置に入力することができるため、従来のように屋内配線からセンサで検出するよりも正確な電流値を入力することができる。さらに、一般に現在の家庭で使われる機器は、内蔵されたマイコンなどによって入力電流を含めた全ての動作が自動制御されているため、予め入力電流が何秒後に何アンペアになるかが判っていたり、動作中にいつ何アンペアになるかを容易に計算できる。つまり、突入電流などのような急激な大きな電流が今後いつ流れるかという情報も過電流抑制装置に送信することが出来るため、その情報に基づいて過電流抑制装置はブレーカが遮断しないように入力電流が大きくなる直前に受信機能等を備えた機器の入力電流を抑制するなどの措置をとることができる。
【０００９】
また、一般に、調理用機器は台所に、テレビやエアコン等の機器は居間やそれぞれの部屋に設置されており、機器から直接情報を入力する本発明の過電流抑制装置は従来のようにブレーカ近傍から出力信号を送信するよりも機器の近くに位置出来るため、出力信号の送受信は容易に、且つ確実に行なうことができる。
【００１０】
【発明の実施の形態】
請求項１に記載の発明は、機器に接続するケーブルと、マイコンと、送信回路とからなる通信装置を有することにより、前記機器の入力電流値や動作するプログラムの情報を機器から直接ケーブルを通じて入力し、その情報をマイコンが所定の出力信号に変換し、送信回路から受信機能を備えた機器に送信することができる。受信機能を備え、出力信号を受信した機器は自己の入力電流を抑制することにより、屋内配線のブレーカが遮断することを防止できる。
【００１１】
請求項２に記載の発明は、機器に送信機能を持たせ、受信回路と、マイコンと、送信回路とからなる通信装置を有することにより、前記機器の入力電流値や動作するプログラムの情報を機器から直接過電流抑制装置の受信回路に送信し、その情報をマイコンが所定の出力信号に変換し、送信回路から受信機能を備えた機器に送信することができる。受信機能を備え、出力信号を受信した機器は自己の入力電流を抑制することにより、屋内配線のブレーカが遮断することを防止できる。
【００１２】
請求項３に記載の発明は、特に、請求項２に記載の過電流抑制装置の受信回路に送る出力信号の送信を赤外線または電波にて行なうことにより、ケーブル敷設などの手間が不要になり、さらに機器から離れた任意の場所に過電流抑制装置を設置できる。
【００１３】
請求項４に記載の発明は、特に、請求項１または２に記載の過電流抑制装置の送信回路からの出力信号の送信を赤外線または電波、或いは有線にて行なうことにしたもので、過電流抑制装置と同室の機器に出力信号を送る場合は赤外線にて行ない、同室にない場合や赤外線での伝達に不向きな条件がある場合は電波や有線にて行なうことにより確実に受信機能を備えた機器に出力信号を伝えることができる。
【００１４】
請求項５に記載の発明は、特に、請求項１から４に記載の受信機能等を高周波加熱装置に備えたもので、高周波発生手段であるマグネトロンの駆動電力を抑制することにより高周波加熱装置の入力電流を抑制することができる。
【００１５】
また、ヒーター機能付き高周波加熱装置の場合、受信した出力信号に応じて通電するヒーターを選択し、入力電流を抑制することもできる。
【００１６】
請求項６に記載の発明は、特に、請求項１から５に記載の受信機能等を複数の機器に備えたもので、出力信号を複数の機器が受信し、それぞれの機器が自己の入力電流を抑制することで、ブレーカの容量に対して余裕が生まれ、より多くの機器を同時運転することができる。
【００１７】
さらに、受信機能等を備えた機器に予め優先順位を付けておき、例えば、空気調和機の入力電流を抑制し、それでもブレーカの容量に対して余裕がない時は次に高周波加熱装置の入力電流を抑制し、まだ余裕がなければ次は炊飯器の入力電流を抑制するといったようにすることもできる。
【００１８】
【実施例】
以下本発明の実施例について、図面を参照しながら説明する。
【００１９】
（実施例１）
図１から図３は、本発明の第１の実施例を示すものである。
【００２０】
図１において、８は商用交流電源、１は屋内に設置されたブレーカで、ブレーカ１には屋内配線を経由して機器２，３，９が並列に接続されている。１０ａは機器２の入力電流値や動作するプログラムの情報などを送信する送信機能で、１０ｂは機器３の入力電流値や動作するプログラムの情報などを送信する送信機能である。機器９は受信機能１１を備えた高周波加熱装置とする。また、１２は過電流抑制装置の通信装置で、機器２や機器３から送信された情報を受信する受信回路１３と、受信回路１３で受信した情報を所定の出力信号に変換するマイコン１４と、マイコン１４の出力信号を送信する送信回路７とで構成される。
【００２１】
まず、機器２を動作すると機器２の送信機能１０ａは機器２の入力電流の値やどのような入力電流値で制御されて動作するかといった情報を赤外線や電波などで通信装置１２の受信回路１３に送信する。受信回路１３が受信した情報はマイコン１４によって所定の出力信号に変換し、送信回路７によって高周波加熱装置９の受信機能１１に送信する。同様に、機器３も動作すると機器３の送信機能１０ｂは機器３の入力電流の値やどのような入力電流値で制御されて動作するかといった情報を赤外線や電波などで通信装置１２の受信回路１３に送信する。マイコン１４は受信回路１３が受信した情報を所定の出力信号に変換し、送信回路７によって高周波加熱装置９の受信機能１１に送信する。受信回路１３が受信した機器２と機器３がどのような入力電流値で制御されて動作するかといった情報の例を図２に示す。
【００２２】
ここで、ブレーカ１の容量を例えば２０アンペアと仮定する。現在の家庭用機器はたいていの場合マイコンを内蔵し、予めマイコンにプログラムされた動作パターンを使用者が選ぶだけになっている。つまり、使用者が機器の動作をさせると同時にその機器の入力電流が何秒後にどのような電流値に制御されるか、いつ大きな電流が流れるかなどの情報がわかり、その情報を高周波加熱装置９に送信する。図３において、機器２機器３の入力電流の和とブレーカ１の容量の２０アンペアとの差が高周波加熱装置９に使用できる入力電流であり、その値を超えないように高周波加熱装置９を制御することでブレーカの遮断を防止し、且つ最大限の電流を使用できる。
【００２３】
（実施例２）
図４は、本発明の第２の実施例を示すものである。
【００２４】
図４において、図１との相違点は出力信号の受信機能等を複数の機器に備えたもので、４は機器で、受信機能１５を備えた空気調和機とする。なお、実施例１と同一符号のものは同一構造または同一機能を有し、説明は省略する。
【００２５】
マイコン１４は受信回路１３が受信した機器２および３の情報を所定の出力信号に変換し、送信回路７によって先ず空気調和機４の受信機能１５に送信する。空気調和機４は受信した出力信号に基づいて圧縮機の回転数を下げるなどして入力電流を抑制する。ここでさらに他の機器を同時運転されたり、室内の気温が変動して空気調和機４が入力電流を増加させる必要が出た場合、次に高周波加熱装置９の入力電流を抑制するように出力信号を送信回路７から高周波加熱装置９の受信機能１１に送信する。高周波加熱装置９は受信した出力信号に基づいて入力電流を抑制する。
【００２６】
このように、マイコン１４に予め入力電流を抑制する機器の優先順位をプログラムすることで複数の機器が入力電流を抑制し、より多くの機器を同時運転することが可能になり、また、空気調和機４の能力低下による室内温度の変動で不快にならずに済む。
【００２７】
【発明の効果】
以上のように、請求項１〜６に記載の発明によれば、機器の入力電流値や、動作するプログラムの情報などを直接過電流抑制装置に送ることにより、それぞれの機器がいつ、どのような大きさの入力電流になるかが判り、事前に他の機器の入力を抑制するなどの対処ができるため、突入電流のような急激な大きな電流が流れてもブレーカが遮断することがなくなる。
【００２８】
さらに、過電流抑制装置は機器の近くに位置できるため、出力信号の送受信は容易に、且つ確実に行なうことが出来、信号伝達のミスによるブレーカ遮断を無くすことができる。
【図面の簡単な説明】
【図１】本発明の実施例１におけるブロック回路図
【図２】本発明の実施例１における機器の入力電流タイムチャート
【図３】本発明の実施例１における高周波加熱装置の入力電流タイムチャート
【図４】本発明の実施例２におけるブロック回路図
【図５】従来の実施例のブロック回路図
【符号の説明】
１  ブレーカ
２、３  機器
４  機器（空気調和機）
５  電流検出装置
６  電流センサ
７  送信回路
８  商用交流電源
９  機器（高周波加熱装置）
１０ａ  送信機能（機器２）
１０ｂ  送信機能（機器３）
１１  受信機能（機器９）
１２  通信装置
１３  受信回路
１４  マイクロコンピュータ（マイコン）
１５  受信機能（機器４）
【図１】
2004201470.tif 000003
【図２】
2004201470.tif 000004
【図３】
2004201470.tif 000005
【図４】
2004201470.tif 000006
【図５】
2004201470.tif 000007